(57)【特許請求の範囲】
【請求項１】
ＷＷＷサーバに、各ユーザのデジタル放送受信機の設定情報を蓄積する手段と、前記設定情報をパスワードにて管理する手段と、ＷＷＷブラウザを通して、前記設定情報や、番組放送予定情報を公開する手段と、ＷＷＷブラウザを通して、前記設定情報を放送局側に送信する送信手段と、該送信手段にて送信された前記設定情報を放送局側において放送データに付加して、各ユーザのデジタル放送受信機宛てに放送する放送手段と、該放送手段にて放送された前記設定情報をデジタル放送受信機側において受信し、該設定情報に対応する処理を実行する手段と、前記デジタル放送受信機側の内部の設定情報をセンターアクセスにて前記放送局側にアップロードするアップロード手段と、前記放送局側により前記アップロード手段にてアップロードされた内部の設定情報を、ＷＷＷサーバに蓄積している各ユーザのデジタル放送受信機設定情報に反映する手段とを有し、デジタル放送受信機を直接操作しなくとも、ＷＷＷブラウザを通して、デジタル放送受信機の設定を行うだけで、放送による遠隔操作にて、各ユーザのデジタル放送受信機を制御することを特徴とするデジタル放送受信機の遠隔操作システム。
【請求項２】
ＷＷＷサーバに、各ユーザのデジタル放送受信機の設定情報を蓄積する手段と、前記設定情報をパスワードにて管理する手段と、ＷＷＷブラウザを通して、前記設定情報や、番組放送予定情報を公開する手段と、ＷＷＷブラウザを通して、前記設定情報を放送局側に送信する送信手段と、該送信手段にて送信された前記設定情報を放送局側において放送データに付加して、各ユーザのデジタル放送受信機宛てに放送する放送手段と、該放送手段にて放送された前記設定情報をデジタル放送受信機側において受信し、該設定情報に対応する処理を実行する手段と、前記デジタル放送受信機側の内部の設定情報を、Ｅメールにより前記放送局側の管理するアカウント宛てに送信するメール送信手段と、該メール送信手段にて送信された前記Ｅメールを放送局側により受信し、その内部の設定情報を前記ＷＷＷサーバに蓄積している各ユーザのデジタル放送受信機設定情報に反映する手段とを有し、デジタル放送受信機を直接操作しなくとも、ＷＷＷブラウザを通して、デジタル放送受信機の設定を行うだけで、放送による遠隔操作にて、各ユーザのデジタル放送受信機を制御することを特徴とするデジタル放送受信機の遠隔操作システム。
【発明の詳細な説明】
【０００１】
【発明の属する技術分野】
本発明は、デジタル放送受信機の遠隔操作システムに関する。
【０００２】
【従来の技術】
従来、デジタル放送受信機の遠隔操作を行う方法として、Ｅメールにて操作する方法が提案されていた。
例えば、特開２０００−５９８６７号公報に開示された遠隔操作システムでは、Ｅメールにより、日時を指定してビデオの録画予約を行ったり、その他接続機器（エアコンや警備装置等）を制御するシステムが提案されている。
しかし、このようなシステムでは、予約したい番組の放送ＣＨや、番組放送開始時間、番組放送終了時間を正確に把握していなければ行うことができず、外出先から、この予約操作を行うためには、番組ガイド等の雑誌や資料を参照しなければならず、不便であった。
また、予約装置側のＥメール自動受信時間は固定であるため、外出先から自動受信時間の前に、予約用Ｅメールを送信しないと、予約操作が行えないという問題もあった。
【０００３】
もう一つの例として、特開２０００−９２２６２号公報に開示されたファクシミリ装置では、ファクシミリ装置にＷＷＷサーバ機能を搭載して、直接、外部からファクシミリ装置にＷＷＷ接続してブラウザを操作することにより、ファクシミリ装置を操作したり、内部情報をモニタしたりできるようになっている。
しかし、このようなシステムは、操作したい装置側に、ＷＷＷサーバ機能を搭載していなければならず、コスト的に問題があった。
次に、従来のデジタル放送システムの基本構成について説明する。
【０００４】
図４は、従来のデジタル放送システムの基本構成を示す図である。
図面を参照して、従来のデジタル放送システムの動作を順に説明する。
まず、放送局４００により、デジタル化された番組映像データと、番組情報データが、放送波に変調されて送信される。
衛星放送の場合は、衛星４０１に送信され、衛星４０１から放送波が、各地区のデジタル放送受信機４０２に送信される。
ケーブル放送の場合は、直接、ケーブル接続により、各地区のデジタル放送受信機４０２に放送波が送信されることになる。
放送波を受信したデジタル放送受信機４０２では、番組映像データと番組情報データを分離し、番組映像データをデコードして番組映像を出力し、番組情報データをデコードして、番組ガイドを作成して、ユーザ４０４に提示する。
ユーザ４０４は、デジタル放送受信機４０２を、リモコンや、前面パネルボタン等で直接操作するか、又は、Ｅメールにて制御情報を送ることにより、デジタル放送受信機４０２を制御し、番組予約操作や、その他設定を行う。
このとき、録画予約を設定すると、予約時間になった時点で、自動的に、ビデオマウス等でビデオデッキ４０３をコントロールして、番組録画を行う。
【０００５】
放送番組には、有料番組もあり、デジタル放送受信機４０２上で、これを購入すると、デジタル放送受信機４０２に搭載されているＩＣカードに購入履歴が記録され、自動的に電話回線を使用して、放送局４００にアップロードされるようになっている。
こうして有料番組購入履歴情報が、放送局４００に蓄えられ、後日、各ユーザ４０４に番組料金の請求が来るようになっている。
このように電話回線を使用して放送局４００にアップロードする情報として、番組放送中に行われるボーティング（投票）情報や、共聴アンテナ設定情報等がある。
【０００６】
【発明が解決しようとする課題】
上記した従来技術には、デジタル放送受信機を遠隔操作する場合には、Ｅメールを用いて行っていたため、受信機側がＥメールを自動受信するまで、遠隔操作内容が反映されず、また、自動受信回数が１日に１回である場合などは、一度、自動受信時間を過ぎてしまうと、その直後に、予約用Ｅメールを送信しても、反映されるのは、次の日になってしまうなどの問題があった。
このような問題を解決するため、本発明は、放送局の管理するＷＷＷページにアクセスし、ＷＷＷブラウザを用いて、予約操作や各種設定操作を行うだけで、その操作情報を、デジタル放送受信機の内部に設定すべき設定情報として、各デジタル放送受信機宛てに放送し、受信機を制御できるようにすることで、受信機を直接操作しなくとも、外出先にて、ＷＷＷブラウザを通して遠隔操作ができる環境を提供することを目的とする。
【０００７】
【課題を解決するための手段】
本発明は、ＷＷＷサーバに、各ユーザのデジタル放送受信機の設定情報を蓄積する手段と、前記設定情報をパスワードにて管理する手段と、ＷＷＷブラウザを通して、前記設定情報や、番組放送予定情報を公開する手段と、ＷＷＷブラウザを通して、前記設定情報を放送局側に送信する送信手段と、該送信手段にて送信された前記設定情報を放送局側において放送データに付加して、各ユーザのデジタル放送受信機宛てに放送する放送手段と、該放送手段にて放送された前記設定情報をデジタル放送受信機側において受信し、該設定情報に対応する処理を実行する手段と、前記デジタル放送受信機側の内部の設定情報をセンターアクセスにて前記放送局側にアップロードするアップロード手段と、前記放送局側により前記アップロード手段にてアップロードされた内部の設定情報を、ＷＷＷサーバに蓄積している各ユーザのデジタル放送受信機設定情報に反映する手段とを有し、デジタル放送受信機を直接操作しなくとも、ＷＷＷブラウザを通して、デジタル放送受信機の設定を行うだけで、放送による遠隔操作にて、各ユーザのデジタル放送受信機を制御することができるようにしたデジタル放送受信機の遠隔操作システムである。
【０００８】
さらに、本発明は、ＷＷＷサーバに、各ユーザのデジタル放送受信機の設定情報を蓄積する手段と、前記設定情報をパスワードにて管理する手段と、ＷＷＷブラウザを通して、前記設定情報や、番組放送予定情報を公開する手段と、ＷＷＷブラウザを通して、前記設定情報を放送局側に送信する送信手段と、該送信手段にて送信された前記設定情報を放送局側において放送データに付加して、各ユーザのデジタル放送受信機宛てに放送する放送手段と、該放送手段にて放送された前記設定情報をデジタル放送受信機側において受信し、該設定情報に対応する処理を実行する手段と、前記デジタル放送受信機側の内部の設定情報を、Ｅメールにより前記放送局側の管理するアカウント宛てに送信するメール送信手段と、該メール送信手段にて送信された前記Ｅメールを放送局側により受信し、その内部の設定情報を前記ＷＷＷサーバに蓄積している各ユーザのデジタル放送受信機設定情報に反映する手段とを有し、デジタル放送受信機を直接操作しなくとも、ＷＷＷブラウザを通して、デジタル放送受信機の設定を行うだけで、放送による遠隔操作にて、各ユーザのデジタル放送受信機を制御することができるようにしたデジタル放送受信機の遠隔操作システムである。
【０００９】
【発明の実施の形態】
本発明によるデジタル放送受信機の遠隔操作システムの実施形態を、図面に基づいて、以下に説明する。
図１は、本発明に係るデジタル放送システムの一実施例の構成を示す図である。
本実施例のデジタル放送システムの動作を順に説明する。
まず、ユーザ１００により、外出先のパソコン１０１（なお、ＷＷＷにアクセスし、ブラウザが表示できるものであれば、他の機器でも良い。）を操作し、放送局が管理するプロバイダ１０２に接続し、デジタル放送受信機制御用ページにアクセスし、ＷＷＷブラウザ表示する。
この放送局が管理するプロバイダ１０２では、各ユーザのデジタル放送受信機の設定情報を格納しており、始めにユーザ名やパスワードを入力させ、照合することで、各ユーザに対応した情報を表示するようにする。
デジタル放送受信機制御用ページを、パソコン１０１にてブラウザ表示し、そこで、番組予約や各種設定処理を行う。
各種設定処理とは、例えば、（１）暗証番号設定、（２）視聴制限設定、（３）アンテナ設定、（４）ビデオマウス設定（メーカー選択）等がある。
また、番組予約においては、ＷＷＷブラウザ上に番組表を表示し、そこで予約したい番組を選択させる。
【００１０】
図３は、本発明による予約操作や各種設定操作を行うＷＷＷブラウザの各ユーザに対応するデジタル放送受信機制御用ページの表示画面の例を示し、図３（Ａ）は、デジタル放送受信機の設定項目表示ページの画面例、図３（Ｂ）は、番組ガイド表示ページの画面例を示す図である。
番組予約や各種設定処理を行う場合、まず、図３（Ａ）に示す各種設定項目３０１が並んでいる設定項目表示ページ画面を表示し、変更したい項目欄にカーソルを合わせ選択すれば、各項目毎の設定ができるようになっている。
各種設定項目３０１欄の横に表示されているのが設定内容３０２となる。
番組予約を行いたい場合は、「番組予約設定」項目を選択すれば、図３（Ｂ）に示されるような番組表が表示された番組ガイド表示ページ画面が表示される。
番組ガイドのＣＨ方向のスクロールは、番組表ＣＨスクロールボタン３０４により、時間方向のスクロールは番組表時間スクロールボタン３０５により行う。
現在、表示されている番組ガイドの時間情報は、時間軸表示３０６に表示され、ＣＨ情報は、番組表ＣＨ欄３０７に表示される。
予約したい番組を番組表番組欄３０８から選択すれば、その番組を予約できるようになっている。
このようにして予約操作や設定操作を行った後、図３（Ａ）の画面中の送信ボタン３０３を選択することにより、情報送信操作を行う。
そうすると、それまでに行った予約操作や設定操作の制御情報が、放送局１０３に送られる。
【００１１】
放送局１０３では、プロバイダ１０２から送られてきた制御情報を、ＥＭＭ情報（特定ユーザのデジタル放送受信機宛てに送る情報のこと）にのせて、衛星１０４に向けて送信し、衛星１０４から各ユーザのデジタル放送受信機１０５に放送が送信される。
ＥＭＭ情報を受信したデジタル放送受信機１０５では、ＥＭＭ情報の中から予約操作や設定操作情報を取得し、その取得した情報に従い、デジタル放送受信機１０５の内部設定情報を更新する。
そして、更新したデジタル放送受信機１０５の内部設定情報を電話回線を通じて放送局１０３にアップロードする。
放送局１０３では、このアップロードされた設定情報を、図３（Ａ）に示すデジタル放送受信機制御用ページに反映する。
また、同時に、番組ガイド情報も変更があれば、最新のものに更新する。
こうすることで、常にデジタル放送受信機１０５の状態が、放送局管理プロバイダ１０２が提供するデジタル放送受信機制御用ページに反映されているため、ユーザは、あたかもＷＷＷブラウザを通して、直接、デジタル放送受信機１０５を制御しているような環境下で、操作を行うことができる。
最後に、録画予約された場合には、予約時間になると、デジタル放送受信機１０５からビデオマウスを介してビデオデッキ１０６を制御し、番組録画が実行される。
【００１２】
図２は、本発明に係るデジタル放送システムの他の実施例の構成を示す図である。
本実施例の動作を、同様に説明する。
まず、ユーザ２００により、外出先のパソコン２０１（ＷＷＷにアクセスし、ブラウザが表示できる機器であれば、それでもよい。）を操作し、放送局が管理するプロバイダ２０２に接続し、デジタル放送受信機制御用ページにアクセスし、ＷＷＷブラウザ表示する。
この放送局が管理するプロバイダ２０２では、各ユーザのデジタル放送受信機の設定情報を格納しており、始めに、ユーザ名やパスワードを入力させ、照合することで、各ユーザに対応した情報を表示するようにする。
デジタル放送受信機制御用ページをパソコン２０１にてブラウザ表示し、そこで、番組予約や各種設定処理を行う。
このようにして予約操作や設定操作を行った後、図３（Ａ）に示す画面中の送信ボタン３０３を選択することにより、情報送信操作を行う。
そうすると、それまでに行った予約操作や設定操作の制御情報が、放送局２０３に送られる。
【００１３】
放送局２０３では、プロバイダ２０２から送られてきた制御情報を、ＥＭＭ情報（特定ユーザのデジタル放送受信機宛てに送る情報のこと）にのせて、衛星２０４に向けて送信し、衛星２０４から各ユーザのデジタル放送受信機２０５に、放送が送信される。
ＥＭＭ情報を受信したデジタル放送受信機２０５では、ＥＭＭ情報の中から、予約操作や設定操作情報を取得し、その取得した情報に従い、デジタル放送受信機２０５の内部設定情報を更新する。
そして、更新したデジタル放送受信機２０５の内部設定情報を、自動的に、Ｅメール本文にまとめ、本体２０５に内蔵しているＥメール機能２０６を使用して、放送局管理プロバイダ２０２にＥメール送信する。
放送局管理プロバイダ２０２では、送られてきたＥメールの内容を、自動的に解読し、解読した設定情報を、デジタル放送受信機制御用ページに反映する。
また、同時に、番組ガイド情報も変更があれば、最新のものに更新する。
こうすることで、常にデジタル放送受信機２０５の状態が、放送局管理プロバイダ２０２が提供するデジタル放送受信機制御用ページに反映されているため、ユーザは、あたかもＷＷＷブラウザを通して、直接、デジタル放送受信機２０５を制御しているような環境で、操作を行うことができる。
最後に、録画予約された場合には、予約時間になると、デジタル放送受信機２０５からビデオマウスを介して、ビデオデッキ２０７を制御し、番組録画が実行される。
【００１４】
【発明の効果】
本発明によれば、外出先からＷＷＷブラウザを通して、予約操作や各種設定操作を行うだけで、自動的に自宅にあるデジタル放送受信機を制御することができるため、遠方にいながら、受信機を直接操作するのと同等の環境をユーザに提供することができる。
さらに、本発明によれば、デジタル放送受信機から放送局に、各種設定情報をＥメールにて送信することにより、回線負担を軽減することができる。
【図面の簡単な説明】
【図１】本発明に係るデジタル放送システムの一実施例の構成を示す図である。
【図２】本発明に係るデジタル放送システムの他の実施例の構成を示す図である。
【図３】本発明による予約操作や各種設定操作を行うＷＷＷブラウザの各ユーザに対応するデジタル放送受信機制御用ページの表示画面の例を示す図である。
【図４】従来のデジタル放送システムの基本構成を示す図である。
【符号の説明】
１００，２００…ユーザ、１０１，２０１…パソコン、１０２，２０２…放送局管理プロバイダ、１０３，２０３…放送局、１０４，２０４…衛星、１０５，２０５…デジタル放送受信機、１０６，２０７…ビデオデッキ、２０６…Ｅメール機能。
【図１】
0003719923.tif 000002
【図２】
0003719923.tif 000003
【図３】
0003719923.tif 000004
【図４】
0003719923.tif 000005